(57)【要約】【課題】  ハガキ本体３の裏面に第１の図柄又は文字２１と関係する第２の図柄３４を印刷することで、カード２とハガキ本体３の図柄を組み合わせて、デザイン性および鑑賞性を良好にするハガキ１およびハガキ入り封筒５を提供する。【解決手段】  第１の図柄又は文字２１が印刷されたカード２と、裏面にカード２を嵌め込み、第１の図柄又は文字２１を露出する第１の窓部３２が形成されたハガキ本体３と、を備えるハガキ１であって、ハガキ本体３の裏面には、第１の図柄又は文字２１と関係する第２の図柄３４が印刷されていることを特徴とするハガキ１。【選択図】図３
2018176677.tif 000002
【特許請求の範囲】
【請求項１】
内容を表す第１の図柄又は文字が印刷されたカードと、
表面に郵送先を記入する第１の宛名情報記入部が印刷され、裏面に前記第１の図柄又は文字を向けて前記カードを嵌め込み、前記第１の宛名情報記入部と重ならない位置に、前記第１の図柄又は文字を露出する第１の窓部が形成されたハガキ本体と、を備えるハガキであって、
前記ハガキ本体の裏面には、前記第１の図柄又は文字と関係する第２の図柄が印刷されていることを特徴とするハガキ。
【請求項２】
前記ハガキ本体の表面には、前記第１の窓部の表面を覆い、受取人へのメッセージの記入が可能なシール部が脱着可能に形成されていることを特徴とする請求項１に記載のハガキ。
【請求項３】
請求項１又は２に記載のハガキと、
前記カードを覆い、郵送先を記入する第２の宛名情報記入部と、第２の宛名情報記入部と重ならない位置に、前記第２の図柄の少なくとも一部を露出する第２の窓部と、を有し、前記ハガキを収納する封筒と、を備えることを特徴とするハガキ入り封筒。
【発明の詳細な説明】
【技術分野】
【０００１】
本発明は、カードが一体化されたハガキおよびハガキ入り封筒に関する。
【背景技術】
【０００２】
ハガキは、一般的に表面に切手貼付部、郵便番号記入欄および宛て名記入欄などの郵送先の宛名情報（以下、郵送先の宛名情報と言う。）を記入する宛名情報記入部が印刷され、裏面には受取人へのメッセージやイラストなどが記入されるものである。ハガキは、封筒に入れる必要がなく、ポストへ投函するだけで、日本のみならず世界各国へ郵送することができるため、高い利便性を有している。近年、このハガキに関して鋭意研究なされている。
【０００３】
例えば、特許文献１（従来例）には、葉書紙片１１０に記載された事項を覆い隠す隠蔽紙片１２０におけるシール面１２２に特典を印字して、隠蔽紙片１２０を特典カードとすることで、隠蔽紙片１２０を有効活用することができるシークレット葉書１００が開示されている。
【先行技術文献】
【特許文献】
【０００４】
【特許文献１】特開２００１−４７７７４号
【発明の概要】
【発明が解決しようとする課題】
【０００５】
しかし、特許文献１に開示されたシークレット葉書１００は、単に葉書紙片１１０から分離される隠蔽紙片１２０を特典カードとするに過ぎないため、葉書紙片１１０と隠蔽紙片１２０が別々のデザインとなり、デザイン性が乏しく、鑑賞性が優れない問題があった。
【０００６】
本発明は、上述した事情に鑑みてなされるものであって、第１の図柄又は文字が露出されたハガキ本体の裏面に、第１の図柄又は文字と関係する第２の図柄を印刷することで、第１の窓部に嵌め込まれたカードとハガキ本体の図柄が組み合わさり、新たなデザインを創出し、デザイン性および鑑賞性を良好にすることができるハガキおよびハガキ入り封筒を提供することを目的とする。
【課題を解決するための手段】
【０００７】
上記課題を解決するためになされた請求項１に記載の発明は、内容を表す第１の図柄又は文字が印刷されたカードと、表面に郵送先を記入する第１の宛名情報記入部が印刷され、裏面に前記第１の図柄又は文字を向けて前記カードを嵌め込み、前記第１の宛名情報記入部と重ならない位置に、前記第１の図柄又は文字を露出する第１の窓部が形成されたハガキ本体と、を備えるハガキであって、前記ハガキ本体の裏面には、前記第１の図柄又は文字と関係する第２の図柄が印刷されていることを特徴とする。
【０００８】
請求項１に記載の発明によれば、第１の図柄又は文字が露出されたハガキ本体の裏面に、第１の図柄又は文字と関係する第２の図柄が印刷されていることで、第１の窓部に嵌め込まれたカードとハガキ本体の図柄が組み合わさり、新たなデザインを創出し、デザイン性および鑑賞性を良好にすることができる。
【０００９】
請求項２に記載の発明は、請求項１に記載されたハガキであって、前記ハガキ本体の表面には、前記第１の窓部の表面を覆い、受取人へのメッセージの記入が可能なシール部が脱着可能に形成されていることを特徴とする。
【００１０】
請求項２に記載の発明によれば、受取人へのメッセージが記入可能なシール部で第１の窓部の表面を覆うことで、第１の窓部内へ嵌め込まれたカードの裏面に記載された情報を覆い隠すとともに、受取人へメッセージを伝えることができる。
【００１１】
請求項３に記載の発明は、請求項１又は２に記載のハガキと、前記カードを覆い、郵送先を記入する第２の宛名情報記入部と、第２の宛名情報記入部と重ならない位置に、前記第２の図柄の少なくとも一部を露出する第２の窓部と、を有し、前記ハガキを収納する封筒と、を備えることを特徴とする。
【００１２】
請求項３に記載の発明によれば、第２の図柄の少なくとも一部のみを第２の窓部から露出させることで、封筒内の同封物に対する期待感を受取人へ想起させるとともに、封筒内にカードが同封されていることを隠し、カード目当てでハガキ入り封筒が盗まれることを防ぐことができる。
【発明の効果】
【００１３】
本発明は、上述した事情に鑑みてなされるものであって、第１の図柄又は文字が露出されたハガキ本体の裏面において、第１の図柄又は文字と関係する第２の図柄を印刷することで、第１の窓部に嵌め込まれたカードとハガキ本体の図柄が組み合わさり、新たなデザインを創出し、デザイン性および鑑賞性を良好にするハガキおよびハガキ入り封筒を提供することができる。
【図面の簡単な説明】
【００１４】
【図１】第１実施例のハガキの正面図である。
【図２】図１のハガキの裏面図である。
【図３】図１のハガキを展開した展開図である。
【図４】図書カードを一体的に係止した場合のハガキの裏面図である。
【図５】図１のハガキの送付手順を示すフローチャートである。
【図６】第２実施例のハガキ入り封筒の正面図である。
【図７】図６の封筒の正面図である。
【図８】第３実施例のハガキの表面側を示す斜視図である。
【図９】図８のハガキ本体の裏面図である。
【図１０】従来例のシークレット葉書の分解斜視図である。
【発明を実施するための形態】
【００１５】
（第１実施例）
以下、図面を参照して、本発明の第１実施例に係るハガキ１について説明する。
【００１６】
図１は第１実施例のハガキ１の正面図であり、図２は図１のハガキ１の裏面図であり、図３は図１のハガキ１を展開した展開図であり、図４は図書カードを一体的に係止した場合のハガキ１の裏面図であり、図５は図１のハガキ１の送付手順を示すフローチャートである。
なお、ハガキ１の幅方向をＸ軸、ハガキ１の高さ方向をＹ軸、ハガキ１の厚み方向をＺ軸とする。
【００１７】
図１乃至３で示すように、引用符号１は、本実施例のハガキ１である。ハガキ１は、内容を表すカード側の図柄又は文字（第１の図柄又は文字）２１が印刷されたカード２と、カード２を一体的に係止し、ポストに投函するだけで日本および世界各国へ郵送するハガキ本体３と、を備える。
【００１８】
カード２は、図３で示すように、例えば５４ｍｍ×８６ｍｍの矩形状をしたものであり、例えば映画観賞用カード、図書カード、音楽ギフトカード、テレホンカード、キャッシュカードなどである。カード２の表面には、カード２の内容を表すカード側の図柄又は文字２１が印刷されている。
【００１９】
ハガキ本体３は、図１で示すように、標準的なハガキサイズ（例えば１００ｍｍ×１４８ｍｍ）としたものであり、表面には、郵送先の宛名情報を記入するハガキ側宛名情報記入部（第１の宛名情報記入部）３１が印刷されている。
【００２０】
ハガキ本体３は、図１および３で示すように、ハガキ側宛名情報記入部３１と並ぶように位置し、ハガキ１を嵌め込むハガキ側窓部（第１の窓部）３２と、ハガキ側窓部３２の表面を覆い、ハガキ本体３の表面において脱着可能に形成されたシール部３３と、を有する。
【００２１】
ハガキ側窓部３２は、図２および３で示すように、カード２と略同じ大きさでハガキ本体３からくり抜かれており、表面には、例えばプラスチックフィルムなどの透明なフィルムで覆われている。
【００２２】
ハガキ側窓部３２における対角線上の内側角部には、ハガキ側窓部３２に嵌め込んだカード２を一体的に係止する一対の係止爪３２ａが形成されている。一対の係止爪３２ａでカード２の対角線上の角部を係止することで、ハガキ側窓部３２へ嵌め込んだカード２が脱落することを防止することができる。
【００２３】
シール部３３は、図１および３で示すように、例えば紙素材などからなり、ハガキ側窓部３２の全体を覆う大きさで形成されている。シール部３３の表面には受取人へのメッセージを記入することができるように形成されており、裏面にはハガキ側窓部３２の外周と接着する接着部３３aが形成されている。接着部３３aは、剥離後再接着可能な糊（例えばポストイット糊など）が塗布されており、ハガキ本体３の表面において脱着可能に形成されている。
【００２４】
ハガキ本体３の裏面は、図１および３で示すように、カード側の図柄又は文字２１と関係するハガキ側の図柄（第２の図柄）３４が全面に印刷されている。具体的には、図２で示すように、カード側の図柄又は文字２１が山であり、カード２が山の映画の映画観賞用カードである場合には、ハガキ側の図柄３４としてカード側の図柄又は文字２１と関係する山の図柄が印刷されている。
【００２５】
また、図４で示すように、カード２が図書カード（例えば、カード側の図柄又は文字２１として図書カードの文字が印刷されたもの）である場合には、ハガキ側の図柄３４として、本を読むウサギなどの本に関係する図柄が印刷されている。さらには、カード２が音楽ギフトカード（例えば、カード側の図柄又は文字２１として音楽ギフトカードの文字が印刷されたもの）（不図示）である場合には、ハガキ側の図柄３４として、アーティストや音符などの音楽に関係する図柄（不図示）が印刷されている。
【００２６】
ここで、カード２が映画観賞用カードである場合、ハガキ側の図柄３４として映画の一場面にすると良い。この構成により、受取人は、映画を鑑賞した後、ハガキ側の図柄３４を見ることで、映画の内容を想起させて、映画の余韻に浸ることができる。
【００２７】
本実施例のハガキ１は、ハガキ本体３の裏側全面に印刷されたハガキ側の図柄３４を、カード側の図柄又は文字２１と関係する図柄にすることで、あたかもカード側の図柄又は文字２１が、ハガキ本体３の図柄の一部であるかのようなデザイン性を創出することができる。
【００２８】
すなわち、本実施例のハガキ１は、カード側の図柄又は文字２１とハガキ側の図柄３４を組み合わせることで、新たなデザインを創出して、デザイン性および鑑賞性を良好にすることができる。
【００２９】
また、本実施例のハガキ１は、ハガキ本体３の裏面に印刷されたハガキ側の図柄３４が、カード２の内容を示すカード側の図柄又は文字２１と関係する図柄とすることで、受取人へ送付したカード２の内容を容易に把握させることもできる。
【００３０】
次に、本実施例のハガキ１の送付方法について説明する。
初期条件として、ハガキ本体３には、ハガキ側窓部３２が形成されており、ハガキ本体３からシール部３３が剥離されているものとする。
【００３１】
図５は図１のハガキ１の送付手順を示すフローチャートである。
【００３２】
差出人は、カード側の図柄又は文字２１をハガキ本体３の裏面に向けて、カード２をハガキ側窓部３２へ嵌め込む（ＳＴＥＰ１、２）。カード２がハガキ側窓部３２に嵌め込まれると、一対の係止爪３２ａでハガキ本体３の角部が係止され、ハガキ本体３にカード２が一体的に係止される。
【００３３】
差出人は、ハガキ側窓部３２にカード２を嵌め込んだ後、カード２の裏面を覆うようにハガキ側窓部３２の外周にシール部３３を接着させる（ＳＴＥＰ３）。シール部３３でカード２の裏面が覆われることで、カード２の裏面に記載された情報を隠すことができる。
【００３４】
差出人は、シール部３３をハガキ側窓部３２の外周へ接着させた後、シール部３３の表面に受取人へのメッセージを記入し、ハガキ側宛名情報記入部３１に郵送先の宛名情報を記入する（ＳＴＥＰ４、５）。そして、差出人は、ハガキ１をポストへ投函して、送付作業を終了する（ＳＴＥＰ６および７）。
【００３５】
本実施例のハガキ１は、単にポストへ投函するだけで、日本のみならず世界各国へ郵送することができるため、高い利便性を奏することができる。
【００３６】
また、本実施例のハガキ１は、ハガキ側窓部３２全体を覆う大きさのシール部３３の表面へメッセージを記入可能に形成することで、カード２の裏面に記載された情報を隠すとともに、受取人へのメッセージも伝達することができる。
【００３７】
さらに、本実施例のハガキ１は、シール部３３がハガキ本体３に脱着可能に形成されていることで、シール部３３をハガキ本体３から剥離した後も、ハガキ側窓部３２の外周にシール部３３を再接着することができ、メッセージが記入されたシール部３３とハガキ本体３が別々となり、シール部３３のみが紛失することを防ぐことができる。
【００３８】
（第２実施例）
第２実施例のハガキ入り封筒５は、封筒６内に第１実施例のハガキ１を収納した点のみが異なるため、封筒６の構成についてのみ説明する。
なお、第１実施例と同様の構成については、同一符号を付し、座標軸も同じとした。
【００３９】
図６は第２実施例のハガキ入り封筒５の正面図であり、図７は図６の封筒５の正面図である。
【００４０】
本実施例のハガキ入り封筒５は、図６で示すように、内容を表すカード側の図柄又は文字２１が印刷されたカード２と、カード２を一体的に係止するハガキ本体３と、を備えるハガキ１と、ハガキ１を収納する封筒６と、を備える。
【００４１】
封筒６は、図６および７で示すように、表面には、カード２を覆い、郵送先の宛名情報を記入する封筒側宛名情報記入部（第２の宛名情報記入部）６１と、封筒側宛名情報記入部６１と並ぶように位置し、ハガキ側の図柄３４の少なくとも一部を露出する封筒側窓部（第２の窓部）６２と、封筒６の上端を開閉するフラップ部６３とが形成されている。
【００４２】
封筒側窓部６２は、図６および７で示すように、ハガキ側の図柄３４の少なくとも一部が露出されるように、封筒６からくり抜かれており、表面は例えばプラスチックフィルムなどの透明なフィルムで覆われている。
【００４３】
フラップ部６３は、図７で示すように、基端側に折込線６３aが入っており、封筒６の裏面側に折り曲げ可能に形成されており、封筒６の上端開口部を開閉自在に形成されている。
【００４４】
本実施例のハガキ入り封筒５は、封筒６内へハガキ１を収納することで、ハガキ側窓部３２からハガキ側の図柄３４の少なくとも一部が露出されるとともに、カード側の図柄又は文字２１を覆うことで、受取人への同封物に対する期待感を想起させるとともに、封筒６内に収納されたカード２の存在を隠すことができる。
【００４５】
また、本実施例のハガキ入り封筒５は、カード２を封筒６で覆い隠しているため、外部から封筒６内にカード２が同封されていることを確認できないため、カード２目当てにハガキ入り封筒５が盗まれることを防ぐことができる。
【００４６】
（第３実施例）
第３実施例のハガキ入り封筒５’は、第２実施例におけるハガキ本体３の構成のみが異なるため、ハガキ本体３’の構成のみ説明する。
なお、第１実施例と同様の構成については、同一符号を付し、座標軸も同じとする。
【００４７】
図８は第３実施例のハガキ１’の表面側を示す斜視図であり、図９は図８のハガキ本体３’の裏面図である。
【００４８】
本実施例のハガキ入り封筒５’は、図８および９で示すように、内容を表すカード側の図柄又は文字２１が印刷されたカード２と、カード２を一体的に係止するハガキ本体３’とを備えたハガキ１’と、ハガキ１’を収納する封筒６と、を備える。
【００４９】
ハガキ本体３’は、標準的なハガキサイズをしたものであり、表面には郵送先の宛名情報を記入するハガキ側宛名情報記入部（第１の宛名情報記入部）３１が印刷されており、ハガキ側宛名情報記入部３１と並ぶように位置し、カード２を嵌め込むハガキ側窓部（第１の窓部）３２と、ハガキ側窓部３２の下部を封止し、ハガキ本体３’を机等に立て掛けることができるスタンド部３５と、を有する。
【００５０】
スタンド部３５は、図８および９で示すように、封筒６内へ収納可能なように下部が蛇腹状に形成されている。具体的には、スタンド部３５の底面に折込線３５ａが入っており、折り畳んだり、広げたりできるように形成されている。
【００５１】
スタンド部３５の底面内側には、図８で示すように、対向する内側面を懸架する当接板３５ｂが回動自在に形成されている。スタンド部３５の底面を広げた際には、当接板３５ｂで対向する内側面を懸架して、スタンド部３５の底面を広げた状態で保持し、机等にハガキ１’を置くことができるように形成されている。
【００５２】
スタンド部３５の表面には、図８で示すように、受取人へのメッセージを記入することができるように形成されており、裏面には、ハガキ側の図柄３４と関係するスタンド側の図柄（第３の図柄）３６が印刷されている。
【００５３】
本実施例のハガキ入り封筒５’は、スタンド部３５の底面を蛇腹状に形成することで、スタンド部３５の底面を折り畳むことで封筒６内へ収納することができる一方、スタンド部３５の底面を広げることで机等へハガキ１’を載置することができる。
【００５４】
本実施例のハガキ入り封筒５’は、スタンド部３５の底面内側に形成された当接板３５ｂをスタンド部３５の内側面を懸架させることで、スタンド部３５の底面を広げた状態を保持して、机等にハガキ１’を簡単に載置することができる。
【００５５】
本実施例のハガキ入り封筒５’は、スタンド部３５の裏面にスタンド側の図柄３６を印刷することで、ハガキ側窓部３２からカード２を取外した際に、スタンド側の図柄３６が露出され、受取人へ更なるサプライズを与えることができる。
【００５６】
また、本実施例のハガキ入り封筒５’は、スタンド側の図柄３６をハガキ側の図柄３４と関係する図柄にすることで、カード２をハガキ側窓部３２から取外した場合においても、ハガキ本体３’の裏面のデザインに統一感を持たせることができる。
【００５７】
さらに、本実施例のハガキ入り封筒５’は、スタンド部３５がハガキ側窓部３２の下部を封止するように取付けられているため、開口した上部からカード２をハガキ側窓部３２内へ簡単に出し入れすることもできる。
【００５８】
（他の実施例）
第１実施例、第２実施例および第３実施例のハガキ１、１’において、ハガキ本体３、３’の裏側全面にハガキ側の図柄３４が印刷されているものとして説明したが、特にこれに限られるものではなく、ハガキ本体３、３’の裏面の少なくとも一部にハガキ側の図柄３４が印刷されていれば良い。
【００５９】
第１実施例および第２実施例のハガキ１において、ハガキ側窓部３２内へのカード２の嵌め込みは、ハガキ側窓部３２における対角線上の角部に形成された一対の係止爪３２ａで係止するものとして説明したが、特にこれに限られるものではなく、ハガキ側窓部３２内へカード２を嵌め込める構成であれば良い。
【００６０】
第１実施例、第２実施例および第３実施例のハガキ１、１’において、ハガキ側窓部３２は、ハガキ側宛名情報記入部３１と並ぶように位置するものとして説明したが、特にこれに限られるものではなく、ハガキ側窓部３２がハガキ側宛名情報記入部３１と重ならないように位置していれば良い。
【００６１】
第１実施例、第２実施例および第３実施例のハガキ本体３、３’として、ポストへ投函するだけで、日本のみならず世界各国へ郵送することができるものとして説明したが、特にこれに限られるものではなく、郵便窓口へ差し出すことで日本のみならず世界各国へ郵送できるものであっても良い。
【００６２】
すなわち、第１実施例、第２実施例および第３実施例のハガキ本体３、３’として、標準的なハガキサイズ（例えば１００ｍｍ×１４８ｍｍ）として説明したが、郵便窓口のみへ提出して日本のみならず世界各国へ郵送できるサイズのものであっても良い。
【００６３】
本発明は、その精神または主要な特徴から逸脱することなく。他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替及び改質は、すべて本発明の範囲内のものである。
【符号の説明】
【００６４】
１、１’…ハガキ
２…カード
２１…カード側の図柄又は文字（第１の図柄又は文字）
３、３’…ハガキ本体
３１…ハガキ側宛名情報記入部（第１の宛名情報記入部）    ３２…ハガキ側窓部（第１の窓部）      ３２a…係止爪    ３３…シール部      ３３a…接着部    ３４…ハガキ側の図柄（第２の図柄）    ３５…スタンド部      ３５a…折込線      ３５ｂ…当接板    ３６…スタンド側の図柄（第３の図柄）
５、５’…ハガキ入り封筒
６…封筒
６１…封筒側宛名情報記入部（第２の宛名情報記入部）    ６２…封筒側窓部（第２の窓部）    ６３…フラップ部    ６３a…折込線
【図１】
2018176677.tif 000003
【図２】
2018176677.tif 000004
【図３】
2018176677.tif 000005
【図４】
2018176677.tif 000006
【図５】
2018176677.tif 000007
【図６】
2018176677.tif 000008
【図７】
2018176677.tif 000009
【図８】
2018176677.tif 000010
【図９】
2018176677.tif 000011
【図１０】
2018176677.tif 000012
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
内容を表す第１の図柄又は文字が印刷されたカードと、
表面に郵送先を記入する第１の宛名情報記入部が印刷され、裏面に前記第１の図柄又は文字を向けて前記カードを嵌め込み、前記第１の宛名情報記入部と重ならない位置に、前記第１の図柄又は文字を露出する第１の窓部が形成されたハガキ本体と、を備えるハガキであって、
前記ハガキ本体の裏面には、前記第１の図柄又は文字と関係する第２の図柄が印刷されており、
前記ハガキ本体には、前記第１の窓部の下部を封止し、前記第１の窓部に嵌め込まれた前記カードを覆うとともに前記ハガキ本体を立て掛け可能に形成されたスタンド部を有し、前記スタンド部の裏面には、前記第２の図柄と関係し、前記第１の図柄又は文字と異なる第３の図柄が印刷されていることを特徴とするハガキ。
【請求項２】
前記スタンド部は、下部が蛇腹状に形成されたものであって、底面内側には、対向する内側面に懸架する当接板が回動自在に形成されていることを特徴とする請求項１に記載のハガキ。
【請求項３】
請求項１又は２に記載のハガキと、
前記カードを覆い、郵送先を記入する第２の宛名情報記入部と、第２の宛名情報記入部と重ならない位置に、前記第２の図柄の少なくとも一部を露出する第２の窓部と、を有し、前記ハガキを収納する封筒と、を備えることを特徴とするハガキ入り封筒。
【手続補正２】
【補正対象書類名】明細書
【補正対象項目名】０００７
【補正方法】変更
【補正の内容】
【０００７】
上記課題を解決するためになされた請求項１に記載の発明は、内容を表す第１の図柄又は文字が印刷されたカードと、表面に郵送先を記入する第１の宛名情報記入部が印刷され、裏面に前記第１の図柄又は文字を向けて前記カードを嵌め込み、前記第１の宛名情報記入部と重ならない位置に、前記第１の図柄又は文字を露出する第１の窓部が形成されたハガキ本体と、を備えるハガキであって、前記ハガキ本体の裏面には、前記第１の図柄又は文字と関係する第２の図柄が印刷されており、前記ハガキ本体には、前記第１の窓部の下部を封止し、前記第１の窓部に嵌め込まれた前記カードを覆うとともに前記ハガキ本体を立て掛け可能に形成されたスタンド部を有し、前記スタンド部の裏面には、前記第２の図柄と関係し、前記第１の図柄又は文字と異なる第３の図柄が印刷されていることを特徴とする。
【手続補正３】
【補正対象書類名】明細書
【補正対象項目名】０００９
【補正方法】変更
【補正の内容】
【０００９】
請求項２に記載の発明は、前記スタンド部は、下部が蛇腹状に形成されたものであって、底面内側には、対向する内側面に懸架する当接板が回動自在に形成されていることを特徴とする。
【手続補正４】
【補正対象書類名】明細書
【補正対象項目名】００１０
【補正方法】削除
【補正の内容】